(57)【要約】【課題】本発明は形状は従来と同様のデザインで、通気性に優れ、内部は見えないワイシャツ等の衣服を得るにある。【解決手段】前身頃、後身頃、前立て、肩ヨーク、袖、カフス、衿等を有する作業着やワイシャツ等の衣服において、衣服本体と、この衣服本体の前記後身頃と肩ヨークの縫合部位で、外部から見えないように該後身頃と肩ヨーク間に設けられた通気部材とでワイシャツ等の衣服を構成している。【選択図】  図１
2007332492.tif 000002
【特許請求の範囲】
【請求項１】
前身頃、後身頃、前立て、肩ヨーク、袖、カフス、衿等を有する作業着やワイシャツ等の衣服において、衣服本体と、この衣服本体の前記後身頃と肩ヨークの縫合部位で、外部から見えないように該後身頃と肩ヨーク間に設けられた通気部材を備えることを特徴とするワイシャツ等の衣服。
【請求項２】
前記通気部材は、通気することができる少なくとも１つの開口部と、この開口部の少なくとも１箇所を前記後身頃に留める留め部とからなることを特徴とする請求項１に記載のワイシャツ等の衣服。
【請求項３】
前記通気部材は複数個設けられていることを特徴とする請求項１、２のいずれかに記載のワイシャツ等の衣服。
【請求項４】
前記通気部材は、前記後身頃と肩ヨークの縫合部位に外部から見えないように設けられた第１の通気部材と、前記袖の内側の縫合部位に外部から見えないように設けられた第２の通気部材とからなることを特徴とする請求項１、２のいずれかに記載のワイシャツ等の衣服。
【発明の詳細な説明】
【技術分野】
【０００１】
本発明は作業着やワイシャツ等の衣服に関する。
【背景技術】
【０００２】
従来の作業着やワイシャツ等は、衣服として用いられており、布地を、前身頃、後身頃、ヨーク、袖、衿といったパーツの布を縫製して作られている。
従来の作業着やワイシャツ等の衣服は、暑い時期にシャツを着用すると発汗し、衣服内部が蒸れ不快感が生じるとともに、発刊し、蒸れた状態で冷房装置が備えられた部屋や喫茶店等に入ると、急激に体温が低下し、体に多大な負担を掛けるという欠点があった。
【特許文献１】実開昭５１−１２６７０９
【発明の開示】
【発明が解決しようとする課題】
【０００３】
本発明は以上のような従来の欠点に鑑み、形状は従来と同様のデザインで、通気性に優れ、内部は見えないワイシャツ等の衣服を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は前身頃、後身頃、前立て、肩ヨーク、袖、カフス、衿等を有する作業着やワイシャツ等の衣服において、衣服本体と、この衣服本体の前記後身頃と肩ヨークの縫合部位で、外部から見えないように該後身頃と肩ヨーク間に設けられた通気部材とでワイシャツ等の衣服を構成している。
【発明の効果】
【０００６】
以下の説明から明らかなように、本発明にあっては次に列挙する効果が得られる。
【０００７】
(１)前身頃、後身頃、前立て、肩ヨーク、袖、カフス、衿等を有する作業着やワイシャツ等の衣服において、衣服本体と、この衣服本体の前記後身頃と肩ヨークの縫合部位で、外部から見えないように該後身頃と肩ヨーク間に設けられた通気部材とで構成されているので、デザインを損なうことなく通気部材を設けることができる。
したがって、従来と同様の形状で清涼感の向上を図ることができる。また、利用価値の高い状態で使用することができる。
【０００８】
（２）前記（１）によって、通気部材が設けられているので、衣服内部が蒸れるのを効率よく防止することができる。
【０００９】
（３）前記（１）によって、構造が簡単なので、安価に製造できため、コスト低減を図ることができる。
【００１０】
（４）前記（１）によって、熱気や蒸れを効率よく外部へ放出することができるので、特に夏場の室内での電力使用を節約し、効率よくエネルギー削減を図ることができる
【００１１】
（５）請求項２、３、４も前記（１）〜（４）と同様な効果が得られる。
【発明を実施するための最良の形態】
【００１２】
以下、図面に示す本発明を実施するための最良の形態により、本発明を詳細に説明する。
【００１３】
図１ないし図４に示す本発明を実施するための最良の第１の形態において、１は本発明の作業着、半袖ワイシャツ、長袖ワイシャツ、カッターシャツ、スポーツウエア、カジュアルパンツ、スポーツウエアパンツ等の衣服で、本実施の形態では長袖ワイシャツ１である。この衣服としてのワイシャツ１は、布地を、前身頃２、後身頃３、前立て４、肩ヨーク５、袖６、カフス７、衿８等の部材に裁断して、それぞれのパーツを縫製して作られおり、従来と同様の形状である。
なお、前記ワイシャツ１の構成している布地の形状は立体裁断により決められた形状であるが、通常の裁断による形状でもよい。
また、プリーツ等は図示しないが、デザインされていてもよい。
【００１４】
前記衣服としてのワイシャツ１は、前身頃２、後身頃３、前立て４、肩ヨーク５、袖６、カフス７、衿８等を有する作業着やワイシャツ等の衣服１において、衣服本体９と、この衣服本体９の前記後身頃３と肩ヨーク５の縫合部位で、外部から見えないように該後身頃３と肩ヨーク５の間に設けられた、内側部位がメッシュ材で形成された通気することができる開口部１０と、この開口部１０の少なくとも１箇所、本実施の形態では一箇所を前記後身頃３に縫合で留める留め部１１とを備えるフラップ形状の通気部材１２とで構成されている。
【００１５】
上記のような衣服としてのワイシャツ１は、図４に示すように、使用者が特に夏場に着用した場合には、体内から放出される熱を、通気部材１２の開口部１０より効率よく外部へ逃がすことガができるとともに、外気を衣服本体内に通気させることができるので、発汗しても空気の対流により汗でベトついた肌を乾燥させ、布地に密着させることなく清涼感を保つことができる。
【００１６】
なお、本実施の形態では、衣服としてのワイシャツ１について説明したが、本発明においては、これに限らず、半袖ワイシャツ、カッターシャツ、スポーツウエア等に用いてもよく、また、図示しないが、カジュアルパンツ、スポーツウエアパンツ等の衣服においても、足部の片側あるいは両側部の縫い部に、外部から見えないように上記構造の通気部材を設けても、熱気や蒸れを衣服内にとどめることなく、効率よく外部に放出することができる。
さらに、半袖ワイシャツ、長袖ワイシャツカッターシャツ、スポーツウエア等の衣服１のポケット内側の前身頃部位、あるいは、衿の内側部位で、外部から見えない部位にメッシュ材等の通気部材を設けても、熱気や蒸れを衣服内にとどめることなく、効率よく外部に放出することができる。
［発明を実施するための異なる形態］
【００１７】
次に、図５ないし図１２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図５ないし図７に示す本発明を実施するための第２の形態において、前記本発明を実施するための最良の第１の形態と主に異なる点は、前記衣服本体９の前記後身頃３と肩ヨーク５の縫合部位で、外部から見えないように該後身頃３と肩ヨーク５の間に設けられた第１の通気部材１３と、前記衣服本体９の前記袖６の内側の縫合部位で、外部から見えないように設けられた、内側部位がメッシュ材で形成された通気することができる開口部１４と、この開口部１４の少なくとも１箇所、本実施の形態では一箇所を前記袖に縫合で留める留め部１５とを備えるフラップ形状の第２の通気部材１６とを備える通気部材１２Ａを用いた点で、このようなワイシャツ等の衣服１Ａを構成しても、前記本発明を実施するための最良の第１の形態と同様な作用効果が得られるとともに、前記第２の通気部材１６もフラップ形状に形成されているため、外部からは衣服本体内が見えずに通気性を高めることができる。
【００１９】
図８に示す本発明を実施するための第３の形態において、前記本発明を実施するための最良の第１の形態と主に異なる点は、通気することができる複数個の開口部１０、本実施の形態では３つの開口部１０、１０、１０と、この開口部１０、１０、１０の少なくとも１箇所、本実施の形態では２箇所を前記後身頃に縫合で留める留め部１１、１１とを備える通気部材１２Ｂを用いた点で、このようなワイシャツ等の衣服１Ｂを構成しても、前記本発明を実施するための最良の第１の形態と同様な作用効果が得られる。
【００２０】
図９に示す本発明を実施するための第４の形態において、前記本発明を実施するための第１の形態と主に異なる点は、樹脂製のスナップを用いた留め部１１Ａを使用した点で、このような通気部材１２Ｃを用いたワイシャツ等の衣服１Ｃを構成しても、前記本発明を実施するための第１の形態と同様な作用効果が得られるとともに、布地の色と同色のスナップを用いることにより、目立たず容易に開口部の調節をすることができる。一方、布地と異なる色のスナップを使用しても、デザインとして付加価値を付すことができる。
なお、本実施の形態では、着脱可能なスナップを用いたものについて説明したが、本発明はこれに限らず、図示はしないが、着脱可能なテープや、着脱可能な固着具を用いてもよい。
【００２１】
図１０に示す本発明を実施するための第５の形態において、前記本発明を実施するための第１の形態と主に異なる点は、前記衣服本体９の前記後身頃３の上部に連続的に設けられ、前記肩ヨーク５と同様のサイズで、該肩ヨーク５が覆うように取り付けられたメッシュ材の開口部１０Ａを用いた点で、このような通気部材１２Ｄを用いたワイシャツ等の衣服１Ｄを構成しても、前記本発明を実施するための第１の形態と同様な作用効果が得られる。
【００２２】
図１１および図１２に示す本発明を実施するための第６の形態において、前記本発明を実施するための第１の形態と主に異なる点は、開口部１０を用いない通気部材１２Ｅを用いた点で、このようなワイシャツ等の衣服１Ｅを構成しても、前記本発明を実施するための第１の形態と同様な作用効果が得られる。
【００２３】
なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００２４】
本発明はワイシャツ等の衣服を使用、製造する産業等で利用される。
【図面の簡単な説明】
【００２５】
【図１】本発明を実施するための最良の第１の形態の正面図。
【図２】本発明を実施するための最良の第１の形態の背面図。
【図３】図１の３-３線に沿う拡大断面図。
【図４】本発明を実施するための最良の第１の形態の通気状態の説明図。
【図５】本発明を実施するための第２の形態の正面図。
【図６】本発明を実施するための第２の形態の背面図。
【図７】図５の７-７線に沿う拡大断面図。
【図８】本発明を実施するための第３の形態の背面図。
【図９】本発明を実施するための第４の形態の背面図。
【図１０】本発明を実施するための第５の形態の背面図。
【図１１】本発明を実施するための第６の形態の正面図。
【図１２】図１１の１２-１２線に沿う拡大端面図。
【符号の説明】
【００２６】
１、１Ａ〜１Ｅ：ワイシャツ等の衣服、  ２：前身頃、
３：後身頃、                          ４：前立て、
５：肩ヨーク、                        ６：袖、
７：カフス、                          ８：衿、
９：衣服本体、                        １０、１０Ａ：開口部、
１１、１１Ａ：留め部、                １２、１２Ａ〜１２Ｅ：通気部材、
１３：第１の通気部材、                １４：開口部、
１５：第２の通気部材。
【図１】
2007332492.tif 000003
【図２】
2007332492.tif 000004
【図４】
2007332492.tif 000005
【図５】
2007332492.tif 000006
【図６】
2007332492.tif 000007
【図７】
2007332492.tif 000008
【図８】
2007332492.tif 000009
【図９】
2007332492.tif 000010
【図１０】
2007332492.tif 000011
【図１１】
2007332492.tif 000012
【図１２】
2007332492.tif 000013
【図３】
2007332492.tif 000014